(57)【要約】【課題】換気装置や浴室換気装置或いは空気調和装置などの空調装置において、ダクトの接続をより簡単且つ効果的に行うと共に、断熱性能を向上させることが可能なダクトジョイント並びに空調装置を提供することを目的とする。【解決手段】換気装置１に設けられるダクトジョイント２０の筒状部２１の外周部に、ダクト１１を固定する断熱部２２が形成されている。【選択図】  図１
2004325000.tif 000002
【特許請求の範囲】
【請求項１】
空調装置に設けられる筒状のダクトジョイントであって、建物の所定部位に延びるダクトが接続される筒状部の外周部の根元周辺部に、該根元周辺部の断熱を行う断熱部が形成されていることを特徴とする空調装置のダクトジョイント。
【請求項２】
前記断熱部に前記ダクトを当接させ、前記筒状部の外周と前記断熱部の内周との間に断熱層が形成されていることを特徴とする請求項１記載の空調装置のダクトジョイント。
【請求項３】
空調装置の開口部に筒状のダクトジョイントを設け、該ダクトジョイントと建物の所定部位に空気を案内するダクトとを接続する空調装置において、
前記ダクトジョイントの外周部の根元周辺部に該外周部の断熱を行うと共に前記ダクトの端部に当接する断熱部を形成し、前記ダクトの端部と前記断熱部とを結合部材により結合したことを特徴とする空調装置。
【請求項４】
前記ダクトの端部を前記断熱部に当接させ、前記ダクトジョイントの筒状部の外周部と前記断熱部の内周との間に断熱層が形成されていることを特徴とする請求項３記載の空調装置。
【発明の詳細な説明】
【０００１】
【発明の属する技術分野】
本発明は、例えば、換気装置或いは浴室乾燥換気装置、空気調和装置等の空調装置に接続されるダクトのダクトジョイント及び空調装置に関する。
【０００２】
【従来の技術】
従来、換気装置のダクトジョイント及び空調装置としては、図１０，図１１に示すものが知られている。これらの図において、換気装置１は浴室天井２の取付開口部３内に配設されるものであり、浴室天井２の上に設けられる天井壁４に取り付けられたアンカーボルト５に支持されている。換気装置１の浴室内側には浴室の空気を換気装置１内部に取り込む導入開口部６が形成されており、この導入開口部６の中にシロッコファン７を内蔵するためのファンケース８が設置されている。ファンケース８には空気を導入する吸引開口部９と空気を排出する排気開口部１０とが形成されており、シロッコファン７は吸引開口部９から空気を吸い込んで排気開口部１０から空気を排気できるようになっている。ファンケース８の排気開口部１０の下流側には、吸い込んだ空気をダクト１１を介して建物外部に排出するための排気風路１２と、吸い込んだ空気をダンパー１３により方向を変えて、浴室内に戻す環流風路１４とが設けられており、ダンパー１３が環流風路１４と排気風路１２との分岐部に設けられている。環流風路１４には、ヒーター１５が設けられており、浴室に環流する空気をヒーター１５で暖めることが出来るようになっている。
【０００３】
換気装置１の排気風路１２には、排気口１６が開口されており、この排気口１６の周縁部にダクトジョイント１７が取り付けられる。ダクトジョイント１７は、排気口１６と同大同形の筒体形状を有しており、ダクト１１はダクトジョイント１７の先端部に装着され、アルミニウム粘着テープ１８によりダクトジョイント１７の根元に固定される。
【０００４】
【特許文献１】
特開平７−１７１２９９号公報（段落０００４、図６）
【０００５】
【発明が解決しようとする課題】
しかしながら、このような従来のダクトジョイント及びダクト接続構造では、ダクトジョイント１７の根元にダクト１１の端部をアルミニウム粘着テープ１８で固定するために、ダクトジョイント１７の根元を露出させて貼りしろとする必要がある。このため、ダクトジョイント１７のダクト１１で覆われない貼りしろ部分１８Ａにおいて断熱効果が低下し、結露等が生じやすくなり、カビ等が発生する懸念がある。
【０００６】
そこで、この部分の断熱を行う場合には、アルミニウム粘着テープ１８の上に更にグラスウール等の断熱材を巻き付け、その巻き付けた断熱材の上から再度粘着テープ１８で固定する方法があるが、このような処理を行うと手間がかかるという不具合があった。
【０００７】
また、ダクト１１の端部とダクトジョイント１７の貼りしろ部分１８Ａには、ダクト１１の厚さ相当の段差が生じるために、アルミニウム粘着テープ１８の貼り合わせにおいてもアルミニウム粘着テープ１８の端末部にしわが出来て作業がやり難いという問題がある。
【０００８】
本発明は、かかる問題に着目してなされたものであり、換気装置や浴室換気装置或いは空気調和装置などの空調装置において、ダクトの接続をより簡単且つ効果的に行うと共に、断熱性能を向上させることが可能なダクトジョイント並びに空調装置を提供することを目的とする。
【０００９】
【課題を解決するための手段】
上記課題を解決するために、本願の第１の空調装置のダクトジョイントは、空調装置に設けられる筒状のダクトジョイントであって、建物の所定部位に延びるダクトが接続される筒状部の外周部に、該外周部の断熱を断熱部が形成されていることを特徴とする。
【００１０】
空調装置は、換気装置或いは浴室換気装置、空気調和装置等を含む。ダクトジョイントは空調装置に一体に設けられていても良いし、別体として空調装置に設けられるものでも良い。ダクトを固定する断熱部は、ダクトの端部の肉厚をほぼ同じ高さ若しくはほぼ同一の高さを有する円筒部で形成し、ダクトの端部と円筒部との高さを同じ高さにして粘着テープやバンドなどで固定するものであっても良い。また、ダクトジョイントの外周部と共にダクトの端部を挟み込む筒状体であっても良いし、ダクトの端部の内側に嵌め込まれるものであっても良い。更に、ダクトジョイントの断熱部はダクトの端部をダクトジョイントの根元周辺部まで挿入した時に、ダクトの端部の周りを爪状の押圧片で挟み込むように構成しても良い。この根元周辺部とは、根元部も含めたその周辺部を意味し、根元部のみ、根元部及び周辺部、根元周辺部のみの全てを含む。断熱部は根元周辺部であり、根元から多少の間隔をあけた部位に設けても良く、結露防止効果が得られるものである。
【００１１】
第１のダクトジョイントによれば、ダクトジョイントの根元周辺部において断熱部が設けられているので、ダクトジョイントの内部を通過する空気とダクトジョイントの外部の空気の温度差や湿度差があっても結露が生じなくなると共に、粘着テープ或いはその他の結合部材で両者を結合するので、ダクトの取付作業性が容易且つ簡単である。
【００１２】
本願の第２のダクトジョイントは、第１のダクトジョイントにおいて、前記断熱部に前記ダクトを当接させ、前記筒状部の外周と前記断熱部の内周との間に断熱層が形成されていることを特徴とする。
【００１３】
第２のダクトジョイントによれば、ダクトジョイントの筒状部の外周と筒状部の内周との間に断熱層が形成されているので、結露等を防止できる。
【００１４】
第３の空調装置は、空調装置の開口部に筒状のダクトジョイントを設け、該ダクトジョイントと建物の所定部位に空気を案内するダクトとを接続する空調装置において、前記ダクトジョイントの外周部の根元周辺部に該外周部の断熱を行うと共に前記ダクトの端部に当接する断熱部を形成し、前記ダクトの端部と前記断熱部とを結合部材により結合したことを特徴とする。
【００１５】
第３の空調装置によれば、第１のダクトジョイントと同様に、ダクトジョイントの内部を通過する空気とダクトジョイントの外部の空気の温度差や湿度差があっても結露が生じなくなると共に、粘着テープ或いはその他の結合部材で両者を結合するので、ダクトの取付作業性が容易且つ簡単である。
【００１６】
第４の空調装置は、第３の空調装置において、前記ダクトの端部を前記断熱部に当接させ、前記ダクトジョイントの筒状部の外周部と前記断熱部の内周との間に断熱層が形成されていることを特徴とする。
【００１７】
第４の空調装置によれば、ダクトジョイントの筒状部の外周と筒状部の内周との間に断熱層が形成されているので、結露等を防止できる。
【００１８】
【発明の実施の形態】
以下、本発明の実施の形態にかかるダクトジョイント及び空調装置について図面を用いて説明する。
【００１９】
図１は本発明の実施の形態にかかる空調装置としての浴室換気装置の構成を示したものである。図２は図１の浴室換気装置の平面図、図３は図１の浴室換気装置の浴室側から見た底面図である。図４（ａ）は図１のダクトジョイントとダクトの端部の接続構造を示し、（ｂ）は図１のダクトジョイントの斜視図である。
【００２０】
図１の換気装置はダクトジョイント２０が図１０に示すものと異なり、その他の構成は図９の換気装置１と同様であるので、同一符号を用いて説明する。
【００２１】
すなわち、換気装置１は浴室天井２の取付開口部３内に配設され、換気装置１の周囲に矩形の枠体５Ａが取り付けられており、この枠体５Ａが浴室天井２の上の天井壁４に取り付けられたアンカーボルト５に支持されている。
【００２２】
換気装置１の浴室内側には浴室の空気を換気装置１内部に取り込む導入開口部６が形成されており、この導入開口部６の中にシロッコファン７を内蔵するためのファンケース８が設置されている。
【００２３】
導入開口部６は空気の入出用開口部を備えた図示しない化粧用のフロントパネルによりカバーされる。ファンケース８には空気を導入する吸引開口部９と空気を排出する排気開口部１０とが形成されており、シロッコファン７は吸引開口部９から空気を吸い込んで排気開口部１０から空気を排気できるようになっている。シロッコファン７は、換気装置１の状部に設けられたモーターＭ１のシャフトＳが通されており、シャフトＳの先端部はナットにより固定されている。モーターＭ１は図示しない制御装置の駆動信号によりシロッコファン７を回転させて、導入開口部６及び吸引開口部９から空気を吸い込んで排気開口部１０から排気する。
【００２４】
換気装置１においてファンケース８の排気開口部１０の下流側には、吸い込んだ空気をダクト１１を介して建物外部に排出するための排気風路１２と、吸い込んだ空気をダンパー１３により方向を変えて、浴室内に戻す環流風路１４とが設けられている。環流風路１４と排気風路１２との分岐部にダンパー１３が設けられている。ダンパー１３は、換気装置１の状部に設けられたモーターＭ２と、モーターＭ２の動力を揺動運動に変換するギア機構Ｇｂ及びダンパー１３の回転軸に設けた図示しないリンク機構により、上下の揺動可能とされ、モーターＭ２の回転数により所定の角度で停止するように制御される。環流風路１４には、ヒーター１５が設けられており、浴室に環流する空気をヒーター１５で暖めることが出来るようになっている。
【００２５】
換気装置１の排気風路１２の排気口１６の周縁部には、ダクトジョイント２０が取り付けられる。ダクトジョイント２０は、排気口１６と同大同形の筒体形状を有しており、ダクト１１はダクトジョイント２０の外周部に装着され、結合部材としてのアルミニウム粘着テープ１８によりダクトジョイント２０の外周部に固定される。
【００２６】
ダクトジョイント２０は、図４（ａ）（ｂ）に示すように、筒状部２１の根元の周りに断熱部２２が形成されている。断熱部２２はこの実施の形態では筒状部２１よりも大径の筒体形状に形成されている。断熱部２２の外側の直径はダクト１１の外側の直径とほぼ同じに設定されており、断熱部２２にダクト１１の端部を突き当てたときに断熱部２２の高さとダクト１１の高さがほぼ等しくなるように構成されている。筒状部２１の外周部と内周との間には断熱部となる空間部２３が設けられており、この空間部２３は、空気層による断熱層が形成されることにより、断熱効果を発揮するようになっている。断熱部２２の外周面はアルミニウム粘着テープ１８の貼りしろとされるものであり、ダクト１１の端部を筒状部２１に挿入して、断熱部２２にダクト１１の端部を突き当てた状態でアルミニウム粘着テープ１８を巻き付けて貼り合わせることにより、ダクトジョイント２０にダクト１１が固定されることとなる。
【００２７】
なお、換気装置１を取付開口部３に装着する前に、枠体５Ａは予めアンカーボルト５とナット５Ａによって天井壁４に取り付けられており、ダクトジョイント２０は枠体５Ａに支持されている。換気装置１の側壁部はネジによって枠体５Ａに固定されている。枠体５Ａにダクトジョイント２０が取り付けられるときに、ダクトジョイント２０は換気装置１側に若干傾いた状態で取り付けられており、換気装置１を枠体５Ａの内部に装着したときに、ダクトジョイント２０は換気装置１に密着するようになっている。ダクトジョイント２０の換気装置１側の面に排気開口部１０の周縁部に接触するシールリングを設けても良い。
【００２８】
このダクトジョイント２０によれば、ダクトジョイント２０の根元周辺部において断熱部２２が設けられているので、ダクトジョイント２０の内部を通過する空気とダクトジョイント２０の外部の空気の温度差や湿度差があっても結露が生じなくなると共に、粘着テープ或いはその他の結合部材で両者を結合するので、ダクトの取付作業性が容易且つ簡単である。
【００２９】
図５は、ダクトジョイント２０の筒状部２１と断熱部２２との間にダクト１１の端部を挿入してアルミニウム粘着テープ１８で固定した状態の断面図である。ダクト１１の端部は圧縮可能であるので、予め筒状部２１の途中までダクト１１の端部を挿入した後、ベルトやレバー等の工具により外周部を縮径させて筒状部２１と断熱部２２の間に挿入する。ダクト１１の端部を筒状部２１と断熱部２２の間に挿入した後、アルミニウム粘着テープ１８を断熱部２２とダクト１１の外周に掛け渡して接着して固定する。
【００３０】
図５のダクト接続構造では、断熱部２２と筒状部２１との間の空間部２３にダクト１１の端部を挿入しているので、断熱部２２の断熱効果が向上すると共に、アルミニウム粘着テープ１８が円筒状に段差無く平坦に貼り合わせることが出来るので、ダクト１１の取付作業性が向上する。
【００３１】
図６は、ダクトジョイント２０の筒状部２１の外側にダクト１１の端部を被せてアルミニウム粘着テープ１８で固定した状態の断面図である。図６のダクト１１の接続構造では、断熱部２２の空間部２３が筒状部２１との間に設けられているので、筒状部２１の根元周辺部分の断熱が行われ、結露等が防止される。
【００３２】
ここで、根元周辺部とは、根元部も含めたその周辺部を意味し、根元部のみ、根元部及び周辺部、根元周辺部のみの全てを含むものとしている。断熱部は根元周辺部であり、根元により多少の間隔をあけた部位に設けても良く、結露防止効果が得られればよい。
【００３３】
図７（ａ）（ｂ）は、ダクトジョイント３０に断熱部としての爪状部３２を設けて爪状部３２と筒状部３１との間にダクト１１の端部を挿入してアルミニウム粘着テープ１８で固定した状態の断面図である。この爪状部３２は、少なくとも一対の爪状部３２がフランジ３３の相対向する位置に形成された切り欠き部３４を切り起こして形成されている。この爪状部３２は、断面が筒状部３１と同心円の円弧断面形状のもので構成されており、ダクト１１の端部を保持しやすく、アルミニウム粘着テープ１８で固定する作業も容易なものとされている。爪状部３２の先端部にダクト１１側に食い込む鈎状部分が形成されており、ダクト１１の装着時の抜けを防止し、取付作業性を向上させている。また、筒状部３１の根元までダクト１１の端部でカバーできるので、筒状部３１の根元周辺部の断熱が行われる。
【００３４】
このように、爪状部３２で断熱部が構成される場合、爪形部３２とダクトジョイント３０の外周部の間にダクトの端部を挿入してダクト１１の端部を断熱体とする構成と、爪状部の外側にダクトジョイント３０を被せ、ダクト１１の端部を断熱体とする構成とが含まれる。このダクトジョイント３０によれば、爪状部３２にダクトの端部を装着するのが容易であり、ダクトジョイントの外周部の全域が断熱されているので、結露等を防止できる。
【００３５】
図８は、ダクトジョイント４０の筒状部４１にダクト１１の端部を被せてリング４４によりダクト１１の端部を固定すると共にアルミニウム粘着テープ１８で固定した状態を示す断面図である。ダクトジョイント４０にはフランジ４２が形成されており、フランジ４２にフック金具４３が取り付けられている。フック金具４３の先端部は筒状部４１側に突出するフック部４３Ａが形成されている。ダクト１１の端部は、リング４４と筒状部４１によって固定されて断熱部を形成しており、このリング４４が結合部材に相当する。リング４４にはフック部４３Ａを挿入する穴４４Ａが形成されており、穴４４Ａにフック部４３Ａが掛止される。フック金具４３とリング４４及びダクト１１の端部の周りにはアルミニウム粘着テープ１８が貼り付けられている。
【００３６】
このダクト接続構造では、ダクト１１の端部に予めリング４４を挿入した後に、ダクト１１の端部をダクトジョイント４０の筒状部４１の根元まで挿入する。次にリング４４をフランジ４２に当接するまでフランジ４２に接近させると、フック金具４３のフック部４３Ａが穴４４Ａに入り込んでリング４４を拘束し、リング４４の移動を禁止する。この状態でアルミニウム粘着テープ１８で固定すると、ダクト１１が固定される。
【００３７】
尚、図８ではリング４４を用いたが、テープ、リング、バンド、ファスナーの何れかであっても良い。リング４４及び粘着テープ１８でダクト１１を固定すると、ダクトジョイントの結露を防止できるのみならず、ダクト１１の端部とダクトジョイント４０の結合が容易であり、取付作業性が向上する。
【００３８】
又、上記の図１乃至図８のダクトジョイント２０，３０，４０では、ダクトジョイント２０，３０，４０の先端部２０Ａ、３０Ａ、４０Ａの絞り加工が不要となる。
【００３９】
図９は、本発明の他の実施の形態にかかる換気装置５０の概略構成を示したものである。図９（ａ）に示す換気装置５０は室内の天井板の上部に取り付けられる天井埋込型（全隠蔽型）のものであるが、図９（ｂ）に部分断面図として示すように、天井部の開口部から吸込口６６が臨むカセット型（半隠蔽型）のものでも良い。図９（ｂ）の半隠蔽型の換気装置のその他の構成は、図９（ａ）の全隠蔽型の構成と同様であるので、その説明を用いる。
【００４０】
換気装置５０においては、通路部等の建物内天井上部に配設される本体ケース５１に、建物外部の空気（外気）を取り入れて室内に供給するための外気導入風路ＡＲ１と、室内空気を取り入れて建物外部に排気するための排気風路ＡＲ２とが形成されている。
【００４１】
また、外気導入風路ＡＲ１と排気風路ＡＲ２とを交差させた交差部分には、建物外部の空気を通過させる外気用通路と室内空気を通過させる排気用通路とで熱交換を行う熱交換素子５２が、設けられている。熱交換素子５２を格納する部位は空間Ａ，Ｂ，Ｃ，Ｄと区切られているが、空間Ａ，Ｂは熱交換素子５２の外気を通す通路を介して接続されている。空間Ｃ，Ｄは熱交換素子５２の室内空気を通す通路を介して接続されている。
【００４２】
本体ケース５１の外気導入風路ＡＲ１にはファンケース５３が設けられており、ファンケース５３の内部にシロッコファン５４Ｂが配設されている。シロッコファン５４Ｂはモーター５５の回転軸に取り付けられている。モーター５５は外気導入風路ＡＲ１と排気風路ＡＲ２の仕切壁５５Ａに取り付けられており、モーター５５の回転軸は仕切壁５５Ａの両側に突出している。
【００４３】
本体ケース５１の外気導入風路ＡＲ１側の側壁６５Ｂには外気を取り入れるための外気の入り口Ｈ１が開口されている。この入り口Ｈ１には、ダクトジョイント５６が設けられている。ダクトジョイント５６はダクト１１を介して建物の外部に臨んでおり、建物の外部の外気を導入可能とされている。
【００４４】
本体ケース５１の外気導入風路ＡＲ１の熱交換素子５２の下流側の側壁部６５Ａには、導入した外気の出口Ｈ２が形成されており、この出口Ｈ２にダクトジョイント５７が設けられている。ダクトジョイント５７には外気を供給する部屋に通じるダクト１１Ｂが接続されている。ダクトジョイント５６から導入された外気はダクトジョイント５７に接続されたダクト１１Ｂを介して各部屋に供給される。なお、熱交換素子５２の外気を通過させる通路の上流側にはフィルター５８が装備されている。
【００４５】
排気風路ＡＲ２には、ファンケース５９が設けられており、ファンケース５９の内部にシロッコファン５４Ａが配設されている。シロッコファン５４Ａはモーター５５の回転軸に取り付けられている。シロッコファン５４Ａ、５４Ｂの羽はモーター５５の回転軸の回転方向が同一でもそれぞれ空気を中央部から取り込んでファンの外側に排出できるように向けられている。
【００４６】
本体ケース５１の側壁部６５Ａには排気風路ＡＲ２の入り口Ｈ３が形成されており、入り口Ｈ３にはダクトジョイント６２が設けられている。ダクトジョイント６２にはダクト１１Ｃが接続されており、ダクト１１Ｃを介して換気装置５０内部に室内空気を吸い込むことができるようになっている。排気風路ＡＲ２の熱交換素子５２の下流側の側壁部６５Ｂには、室内の空気の出口Ｈ４が形成されており、この出口Ｈ４にダクトジョイント６０が設けられている。ダクトジョイント６０はダクト１１Ｄを介して建物の外部に臨んでいる。熱交換素子５２の室内空気を通す通路の上流側にはフィルター６１が装備されている。
【００４７】
モーター５５は、リレースイッチＳＷ１を介して商用電源６３に接続されている。リレースイッチＳＷ１は制御装置６４によりオンオフされて、モーター５５に給電したり、給電を遮断する。
【００４８】
ダクトジョイント５６，５７，６２，６０は、図４（ａ）、（ｂ）に示すダクトジョイント２０で構成される。ダクトジョイント２０の構成及びダクト接続構造は、上述の通りであるので、その説明を援用する。
【００４９】
特に、外気と室内空気とを熱交換させる熱交換型換気装置は、外気と室内空気の温度差により結露しやすいので、本件実施の形態にかかる換気装置の断熱部特に空気層２３による断熱層と用いることにより、より高い結露防止効果が得られ、ダクトジョイン２０トやダクトの結露を防止出来る。
【００５０】
このような、換気装置５０の開口部Ｈ１〜Ｈ４にダクトジョイント２０を取り付ける場合にはダクトジョイント２０の設置個数が多くなるので、ダクトジョイント２０のような構成のものを用いると、結合部材であるアルミニウム粘着テープ１８の接着が容易であるので、ダクト１１Ａ、１１Ｂ、１１Ｃ、１１Ｄの接続作業が容易となり、換気装置５０の設置作業をより容易なものとすることができる。
【００５１】
【発明の効果】
以上述べたように、本願の第１のダクトジョイント及び第３の空調装置によれば、ダクトジョイントの根元周辺部において断熱部が設けられているので、ダクトジョイントの内部を通過する空気とダクトジョイントの外部の空気の温度差や湿度差があっても結露が生じなくなると共に、粘着テープ或いはその他の結合部材で両者を結合するので、ダクトの取付作業性が容易且つ簡単である。
【００５２】
第２のダクトジョイント及び第４の空調装置によれば、ダクトジョイントの筒状部の外周と筒状部の内周との間に断熱層が形成されているので、結露等を防止できる。
【図面の簡単な説明】
【図１】図１は本発明の実施の形態にかかる空調装置としての浴室換気装置の構成を示したものである。
【図２】図２は図１の浴室換気装置の平面図である。
【図３】図３は図１の浴室換気装置の浴室側から見た底面図である。
【図４】（ａ）は図１のダクトジョイントとダクトの端部の接続構造の断面図であり、（ｂ）は図１のダクトジョイントの斜視図である。
【図５】図５はダクトジョイントと断熱部との間にダクトの端部を挿入してアルミニウム粘着テープで固定した状態の断面図である。
【図６】図６はダクトジョイントの断熱部の外側にダクトの端部を被せてアルミニウム粘着テープで固定した状態の断面図である。
【図７】図７（ａ）はダクトジョイントの外周部の爪状部と外周部の間にダクトの端部を挿入してアルミニウム粘着テープで固定した状態の断面図、（ｂ）はダクトジョイントダクトの装着状態を示す斜視図である。
【図８】図８はダクトジョイントの外周部にダクトの端部を被せてリングによりダクト端部を固定した状態を示す断面図である。
【図９】（ａ）は室内天井の上部に隠蔽される全隠蔽型の換気装置のダクト接続状態を示す図、（ｂ）は室内天井の開口部から一部が室内に露出する半隠蔽型の換気装置のダクト接続構造を示す図である。
【図１０】従来の換気装置のダクト接続構造及びダクトジョイントの断面図である。
【図１１】従来のダクトジョイントの断面図である。
【符号の説明】
１  換気装置
２  浴室の天井部
３  取付開口部
３Ａ  枠体
４  天井壁
５  アンカーボルト
６  導入開口部
７  シロッコファン
８  ファンケース
９  吸引開口部
１０  排気開口部
１１  ダクト
１２  排気風路
１３  ダンパー
１４  環流風路
１５  ヒーター
１６  排気口
１７  ダクトジョイント
１８  アルミニウム粘着テープ
２０  ダクトジョイント
２１  筒状部
２２  断熱部
２３  空間部
３０  ダクトジョイント
３１  筒状部
３２  爪状部
３３  フランジ
４０  ダクトジョイント
４１  筒状部
４２  フランジ
４３  フック金具
４３Ａ  フック部
４４  リング
４４Ａ  穴
【図１】
2004325000.tif 000003
【図２】
2004325000.tif 000004
【図３】
2004325000.tif 000005
【図４】
2004325000.tif 000006
【図５】
2004325000.tif 000007
【図６】
2004325000.tif 000008
【図７】
2004325000.tif 000009
【図８】
2004325000.tif 000010
【図９】
2004325000.tif 000011
【図１０】
2004325000.tif 000012
【図１１】
2004325000.tif 000013